(57)【特許請求の範囲】
【請求項１】
ランドセル用の背鐶の背鐶本体部と鐶とを接続するアームに取り付けられ、
前記アームの端部に形成されたスリーブを中空筒状に覆う胴体部と、
前記胴体部に一体的に設けられて前記スリーブに軸支される前記鐶を把持可能な把持部と、を備え、
前記把持部は、前記鐶を屈曲させて前記スリーブの端部から起立させた起立部を把持して、前記起立部が前記背鐶本体部のランドセル接触面に沿って直立した状態に維持し、前記胴体部には、前記スリーブ上を所定角度だけ摺動回転することを許容するための非被覆領域が前記スリーブの長手方向に沿って設けられることを特徴とする鐶回転角度制限キャップ。
【請求項２】
前記把持部を貫通して前記起立部が嵌まり込む把持孔と、
前記把持孔による貫通方向に沿って前記把持部の隆起側面に設けられて前記起立部を前記把持孔に嵌め込ませるスリットと、を備え、
前記スリットは、前記胴体部側に設けられる請求項１に記載の鐶回転角度制限キャップ。
【請求項３】
請求項１又は請求項２に記載の鐶回転角度制限キャップと、
前記背鐶本体部と、
前記アームと、
前記アームの先端に軸支される鐶と、を備えることを特徴とする背鐶。
【請求項４】
請求項３に記載の背鐶と、
前記背鐶が固定されたランドセル本体と、
前記鐶に上端が固定されて前記ランドセル本体の底部に下端が固定される背負いベルトと、を備えることを特徴とするランドセル。
【発明の詳細な説明】
【技術分野】
【０００１】
本発明の実施形態は、ランドセルに設けられる背鐶に関する。
【背景技術】
【０００２】
ランドセルは、ランドセルの背板面の上端部から下端部に鐶状に取り付けられた左右一対の背負ベルトに使用者の腕が通されて両肩に掛けられる。背負ベルトの上端は、背板部分の上端部に面接触して固定された背鐶（セカン）に固定される。
近年では、背負ったランドセルが下方に垂れ下がり重く感じることを軽減するため、背負いベルトの上部が上方に若干立ち上げられるよう背鐶の構造を工夫したものが普及してきている。
【先行技術文献】
【特許文献】
【０００３】
【特許文献１】特開２０１６−２１４５９３号
【発明の概要】
【発明が解決しようとする課題】
【０００４】
背負ベルトの上端部を上方に立ち上げたまま保持する１つの方法として、背鐶の鐶を背板面に沿って上方に起立させた状態を保持すること挙げられる。
背鐶の鐶を直立状態に維持する構造は、より簡素でかつ製造コストがかからないものであることが望ましい。
【０００５】
本発明はこのような事情を考慮してなされたもので、構造が簡素であるとともに低い製造コストで背鐶の鐶を直立状態に維持することができる鐶回転角度制限キャップ、背鐶及びランドセルを提供することを目的とする。
【課題を解決するための手段】
【０００６】
本実施形態に係る鐶回転角度制限キャップは、ランドセル用の背鐶の背鐶本体部と鐶とを接続するアームに取り付けられるものであって、前記アームの端部に形成されたスリーブを中空筒状に覆う胴体部と、前記胴体部に一体的に設けられて前記スリーブに軸支される前記鐶を把持可能な把持部と、を備え、前記把持部は、前記鐶を屈曲させて前記スリーブの端部から起立させた起立部を把持して、前記起立部が前記背鐶本体部のランドセル接触面に沿って直立した状態に維持することを特徴とするものである。
【発明の効果】
【０００７】
本発明により、構造が簡素であるとともに低い製造コストで背鐶の鐶を直立状態に維持することができる鐶回転角度制限キャップ、背鐶及びランドセルが提供される。
【図面の簡単な説明】
【０００８】
【図１】第１実施形態に係る背鐶を備えるランドセルを背板側からみた図。
【図２】（Ａ）は第１実施形態に係る背鐶の裏面図、（Ｂ）は第１実施形態に係る背鐶の表面上方側からみた斜視図。
【図３】第１実施形態に係る鐶回転角度制限キャップの斜視図。
【図４】（A）は開口幅と鐶の回転態様との関係を説明する背鐶の側面図、（B）開口幅と鐶の回転態様との関係を説明する背鐶の側面図。
【図５】（A）は背負いベルトをランドセルの冠側に掛け回したランドセルの背面図、（B）はロッカーに収納したランドセルの斜視図。
【図６】（A）〜（C）は背鐶の製造時の鐶回転角度制限キャップの取り付け手順を示す図。
【図７】第２実施形態に係る鐶回転角度制限キャップが装着されたアームの斜視図。
【図８】第２実施形態に係る鐶回転角度制限キャップの斜視図。
【図９】第２実施形態に係る背鐶の裏面図。
【図１０】第２実施形態における鐶回転角度制限キャップの取り付け手順を示す図。
【発明を実施するための形態】
【０００９】
以下、本発明の実施形態を添付図面に基づいて説明する。
【００１０】
なお、以下の実施形態において、上下、左右、前後の表現は、使用者がランドセルを背中に担いだ状態を基準にしたものである。また、各図において、適宜、鞄の前方（つまり使用者の背中に接触する側）を矢印ＦW、後方（つまりランドセル本体側）を矢印BW、左側を矢印Ｌ、右側を矢印Ｒ、上向きを矢印Ｕでそれぞれ示す。なお、各図では、簡単のため、一部の構成を適宜省略する。
【００１１】
（第１実施形態）
まず、図１を用いて、実施形態に係る背鐶１０を備えるランドセル１００について概説する。
図１は第１実施形態に係る背鐶１０を備えるランドセル１００を背板１２側からみた図である。
ランドセル１００では、図１に示されるように、皮革製又は合成樹脂製等の有蓋有底角筒状のランドセル本体１３の背板１２上辺に冠１４の端辺が縫合される。冠１４はランドセル本体１３の開口部を覆って、ランドセル本体１３の底部外面で施錠される。背板１２の左右対称線C上の上部には、第１実施形態に係る背鐶１０が配設される。背鐶１０は、左右一対の背負いベルト１５の各長手方向一端部（図１では上端部）を取り付けるものである。
【００１２】
背鐶１０は、正面形状がほぼ横長楕円状の合成樹脂製の背鐶本体部１６と、この背鐶本体部１６内で配設された左右一対のアーム１８と、左右のアーム１８それぞれに形成されたスリーブ１９ａに軸支される鐶２１と、アーム１８相互の中間部でこれらアーム１８の背後に配設される金属製の吊り鐶２５と、を具備している。ランドセル１００は、学習机のフック等に吊り鐶２５が掛止されることで、フックに吊持される。また、スリーブ１９ａ及び鐶２１には、第１実施形態に係る鐶回転角度制限キャップ（以下、単に「制限キャップ」という）２０が装着されている。
【００１３】
次に、図２（Ａ），（Ｂ）〜図６を用いて、第１実施形態に係る制限キャップ２０を備える背鐶１０について説明する。
図２（Ａ）は第１実施形態に係る背鐶１０の裏面図、図２（Ｂ）は第１実施形態に係る背鐶１０の表面上方側からみた斜視図である。
なお、背鐶１０において、背板１２に接触する面を裏面、使用者の背中に向かい合う面を表面と呼ぶ。
【００１４】
背鐶本体部１６は、図２（Ａ），（Ｂ）に示されるように、背板１２の上部中央部に固定されるベース１６ａと、このベース１６ａに合わさってそのベース１６ａの正面開口部を閉じるフロントカバー１６ｂと、で構成される。
ベース１６ａは、有底偏平角筒形状をしており、前方すなわち使用者の背中に向けて開口している。そして、フロントカバー１６ｂは、内嵌合壁が形成されたベース１６ａの開口縁部に突合されてベース１６ａの開口部を覆って一体に連成される。
【００１５】
フロントカバー１６ｂの外面上部では、円弧板状の補強板２４が背板１２を挟み込んでリベット留めされて背鐶本体部１６を補強している。
ベース１６ａの開口縁部とフロントカバー１６ｂとの突合部には、背鐶本体部１６の上端側において左右一対のアーム挿入孔２６が設けられる。
この左右一対のアーム挿入孔２６のそれぞれには、アーム１８が挿入されて背鐶本体部１６の内部で固定される。
【００１６】
アーム１８は、背鐶本体部１６の内部で固定される基幹部２７と、この基幹部２７と同程度の幅及び厚さを有しこの基幹部２７に重ねられて固定されるアーム板１９と、で構成される。
基幹部２７は、背鐶本体部１６の内部で、軸支孔２９（図６）に装着された軸受などで左右方向に揺動可能に軸支されることが多い。
アーム板１９は、スナップフィットによる接合等で基幹部２７に固定され、アーム挿入孔２６から上方に向けて突出する。アーム板１９は、使用者の背負いやすさを考慮して、図２（B）に示されるように、基幹部２７側すなわち使用者の背中に近づく向きに数十度屈曲していることが多い。
【００１７】
アーム板１９は、図２（Ａ），（Ｂ）に示すように、その上端辺３１が筒状に丸められるように折り返されて、鐶２１を通すスリーブ１９ａを形成している。
鐶２１は、一本の金属棒が数か所で屈曲又は湾曲して全体として三角形又は四角形など閉じた図形状に成形される。
【００１８】
鐶２１の両端部周辺区間は、両端部が互いに向かい合い、スリーブ１９ａ内部に両側から差し込む底辺を形成する。スリーブ１９ａの両端に位置するこれらの屈曲部のうち左右対称線C側の内側屈曲部３３は、スリーブ１９ａ端部から例えば直角に曲げられる。
そして、内側屈曲部３３からスリーブ１９ａに対して角度を有して延びる起立部３４が再度その頭頂部３６で屈曲又は湾曲され、鐶２１の他端側は再び屈曲してスリーブ１９ａの他端から端部が挿入される。
このようにして、鐶２１はスリーブ１９ａに揺動可能に軸支される。
【００１９】
第１実施形態に係る制限キャップ２０は、このアーム板１９に取り付けられるとともに、鐶２１の起立部３４を把持することで、鐶２１の揺動を制限するものである。
制限キャップ２０は、主に、中空筒形状を有してこの筒でスリーブ１９ａを覆う胴体部３７と、胴体部３７の腹部から隆起する把持部３９と、が一体連成されて構成される。
【００２０】
ここで、図３は、第１実施形態に係る制限キャップ２０の斜視図である。
把持部３９には、鐶２１の起立部３４を把持するための円柱状の把持孔４１が、胴体部３７のスリーブ収納空間４２と垂直の向きに貫通して設けられる。
つまり、起立部３４を把持孔４１に嵌め込むことで、起立部３４が把持部３９に把持される。
【００２１】
胴体部３７には、スリーブ１９ａの外径より幅狭い切れ込み状の開口部４３がスリーブ１９ａの長手方向に沿って設けられる。スリーブ１９ａに胴体部３７を取り付ける際には、胴体部３７の端部からスリーブ１９ａを滑らせてスリーブ収納空間４２にスリーブ１９ａを嵌め込む。開口部４３は、胴体部３７がスリーブ１９ａに取り付けられた際にスリーブ１９ａの付け根部分に配置される。
なお、スリーブ１９ａの付け根部分とは、アーム板１９の上端辺３１が丸められてアーム板１９自身に当接する部分のことである。
【００２２】
なお、胴体部３７は、アーム板１９の板厚分のみを残してスリーブ１９ａ全周を覆うのではなく、スリーブ１９ａの付け根部分に非被覆領域をスリーブ１９ａの長手方向に沿って残して覆うことが望ましい。つまり、開口部４３の開口幅は、アーム板１９の板厚分よりもわずかに広く回転しろを有して設計される。この回転しろにより、胴体部３７は、スリーブ１９ａ周りを摺動可能にされ、アーム板１９に開口部４３の端辺が当たることでその摺動角度が所定角θに制限される。つまり、アーム板１９が制限キャップ２０の回転を制限するストッパの機能を有する。
【００２３】
また、把持部３９の隆起側面２８にも、この隆起側面２８からこの把持孔４１に鐶２１の起立部３４を挿入するためのスリット４４が、把持孔４１の貫通方向に沿って設けられる。
【００２４】
第１実施形態では、このスリット４４は、把持部３９の隆起側面２８のうち胴体部３７とは反対側、すなわち制限キャップ２０全体の左右対称線C側の端面に設けられる。これら開口部４３と把持部３９との位置関係は、開口部４３がスリーブ１９ａの付け根部分に配置されているときに把持孔４１がランドセル１００上方に向かって直立するように設計される。
このような位置関係により、起立部３４がスリット４４から把持孔４１に挿入されて把持部３９に把持されると、鐶２１がランドセル１００上方に向かって直立することになる。なお、ここでいう「直立」には、２０°程度までの僅かな前傾又は後傾も含まれる。
【００２５】
また、図４（A），（B）は、開口幅と鐶２１の回転態様との関係を説明する背鐶１０の側面図である。
開口部４３は、鐶２１が、図４（A）のようにランドセル１００上方に向かって直立する状態から、図４（B）のように背板１２側に数十度後傾することを許容するような位置に設けられる。この後傾角度は、例えば最大８０°、より好ましくは最大６０°である。
【００２６】
また、図５（A）は、背負いベルト１５をランドセル１００の冠１４側に掛け回したランドセル１００の背面図、図５（B）は、ロッカー４５に収納したランドセル１００の斜視図である。
鐶２１に所定角度の回転を許容することで、図５（A）に示されるように、ランドセル１００納品時に箱詰めされる際、背負いベルト１５に折れ跡を残すことなく、背負いベルト１５をランドセル本体１３側に掛け回すことができる。
【００２７】
また、使用者がロッカー４５にランドセル１００を収納する際にも、図５（B）に示されるように、背負いベルト１５が自身の剛性でスリーブ１９ａ周りに膨らみ、背負いベルト１５に折れ跡を残さない態様でランドセル１００を収納することができる。なお、開口部４３の回転しろ（非被覆領域）は設けられていなくてもよい。
【００２８】
以上の構成を有する制限キャップ２０は、背鐶１０の製造時には、図６（A）〜（C）に示されるような手順で背鐶１０に装着されることになる。
まず、図６（A）に示されるように、スリーブ１９ａに制限キャップ２０が取り付けられる。胴体部３７の端部からスリーブ１９ａが挿入される。
【００２９】
その後、図６（B）に示されるように、鐶２１の一端部が左右対称線C側から外側に向けて差し込まれる。そして、図６（C）に示されるように、起立部３４がスリット４４に押し当てられてスリット４４から把持孔４１に嵌まり込むとともに、起立部３４の頭頂部３６の曲率が高められて鐶２１の他端がスリーブ１９ａに挿入される。
【００３０】
なお、アーム板１９と基幹部２７とが一体不可分に形成されてもよい。
【００３１】
以上のように、第１実施形態に係る制限キャップ２０によれば、低いコストで製造可能な簡素な構造で、背鐶１０の鐶２１を直立状態に維持することができる。
【００３２】
（第２実施形態）
図７は、第２実施形態に係る制限キャップ２０Ａが装着されたアーム１８の斜視図である。
図８は、第２実施形態に係る制限キャップ２０Ａの斜視図である。
図９第２実施形態に係る背鐶１０の裏面図である。
【００３３】
第１実施形態では、把持部３９の隆起側面２８のうち胴体部３７とは反対側、つまり左右対称線C側にスリット４４が設けられた。
第２実施形態に係る制限キャップ２０Ａでは、図７及び図８に示されるように、スリット４４は、胴体部３７側に設けられる。
【００３４】
また、胴体部３７の開口部４３が、図９に示されるように、スリーブ１９ａの背板１２側全体まで拡大される。そして、胴体部３７の上端部において、開口部４３と、スリット４４と、が互いに連結される。この結果、スリーブ収納空間４２と、把持孔４１と、が空間的に連続し一体的になる。
【００３５】
開口部４３の開口位置がスリーブ１９ａの背板１２側範囲に限定されることで、アーム板１９が開口部４３の下端と当たり回転が阻止するストッパになり、鐶２１が使用者側に前傾してしまうことを防止する第１実施形態と同様の効果は維持される。
【００３６】
また、図１０は第２実施形態における制限キャップ２０Ａの取り付け手順を示す図である。
第２実施形態では、開口部４３及びスリット４４が連結されることで、図１０に示されるように、鐶２１が既にスリーブ１９ａに既に装着されている場合にも後付けで制限キャップ２０Ａを取り付けることができるようになる。
なお、胴体部３７がスリーブ１９ａから容易に外れないように、後付け可能な状態を損なわない範囲で、胴体部３７で背板１２側まで被覆させてもよい。
【００３７】
以上、開口部４３及びスリット４４の大きさ及び配置を変更すること以外は、第２実施形態は第１実施形態と構成的にも動作的にも同様となるので、重複する説明を省略する。
【００３８】
このように、第２実施形態に係る制限キャップ２０Ａによれば、第１実施形態と同様の効果に加え、既に鐶２１が装着された既存のアーム１８にも取り付けることができる。
【００３９】
以上述べた少なくとも一つの実施形態の制限キャップ２０（２０Ａ）によれば、構造が簡素であるとともに低い製造コストで背鐶１０の鐶２１の直立状態を維持することが可能となる。
【００４０】
本発明のいくつかの実施形態を説明したが、これらの実施形態は、例として提示したものであり、発明の範囲を限定することは意図していない。
これら実施形態は、その他の様々な形態で実施されることが可能であり、発明の要旨を逸脱しない範囲で、種々の省略、置き換え、変更、組み合わせを行うことができる。
これら実施形態やその変形は、発明の範囲や要旨に含まれると同様に、特許請求の範囲に記載された発明とその均等の範囲に含まれるものである。
【符号の説明】
【００４１】
１００…ランドセル、１０…背鐶、１２…背板、１３…ランドセル本体、１４…冠、１５…ベルト、１６（１６ａ，１６ｂ）…背鐶本体部（ベース，フロントカバー）、１８…アーム、１９（１９ａ）…アーム板（スリーブ）、２０（２０Ａ）…鐶回転角度制限キャップ（制限キャップ）、２１…鐶、２４…補強板、２５…吊り鐶、２６…アーム挿入孔、２７…基幹部、２８…隆起側面、２９…軸支孔、３１…アーム板の上端辺、３３…内側屈曲部、３４…起立部、３６…頭頂部、３７…胴体部、３９…把持部、４１…把持孔、４２…スリーブ収納空間、４３…開口部、４４…スリット、４５…ロッカー、C…左右対称線。
【要約】
【課題】構造が簡素であるとともに低い製造コストで背鐶の鐶を直立状態に維持することができる鐶回転角度制限キャップ、背鐶及びランドセルを提供する。
【解決手段】鐶回転角度制限キャップ２０は、ランドセル用の背鐶１０の背鐶本体部１６と鐶２１とを接続するアーム１８に取り付けられるものであって、アーム１８の端部に形成されたスリーブ１９ａを中空筒状に覆う胴体部３７と、胴体部３７に一体的に設けられてスリーブ１９ａに軸支される鐶２１を把持可能な把持部３９と、を備え、把持部３９は、鐶２１を屈曲させてスリーブ１９ａの端部から起立させた起立部３４を把持して、起立部３４が背鐶本体部１６のランドセル接触面に沿って直立した状態に維持する。
【選択図】  図２【図１】
0006815045.tif 000002
【図２】
0006815045.tif 000003
【図３】
0006815045.tif 000004
【図４】
0006815045.tif 000005
【図５】
0006815045.tif 000006
【図６】
0006815045.tif 000007
【図７】
0006815045.tif 000008
【図８】
0006815045.tif 000009
【図９】
0006815045.tif 000010
【図１０】
0006815045.tif 000011